(57)【要約】      （修正有）【課題】マンションやホテル等の建物の共用玄関部分やピロティ式建物の１階の駐車場部分等にある門型開放部に新たに設置して、本体建物の耐震補強をする耐震補強構造を提供する。【解決手段】建物の門型開放部１０に設置される鋼製の耐震補強構造１であって、門型開放部１０は、一対の既設柱部１１と、各既設柱部１１にわたって延設された既設梁部１２と、の組み合わせからなり、耐震補強構造１は、各既設柱部１１に平行に延設される鋼製の一対の新設柱部２と、各新設柱部２の上部に設けられると共に、既設梁部１２に連結される鋼製の新設アーチ型ハンチ部３と、を備える。【選択図】図１
0003211677.tif 000002
【実用新案登録請求の範囲】
【請求項１】
建物の門型開放部に設置される鋼製の耐震補強構造であって、
前記門型開放部は、
一対の既設柱部と、
前記各既設柱部にわたって延設された既設梁部と、の組み合わせからなり、
前記耐震補強構造は、
前記各既設柱部に平行に延設される鋼製の一対の新設柱部と、
前記各新設柱部の上部に設けられると共に、前記既設梁部に連結される鋼製の新設アーチ型ハンチ部と、を備える
ことを特徴とする鋼製耐震補強構造。
【請求項２】
前記耐震補強構造は、
前記各新設柱部に設けられた前記各新設アーチ型ハンチ部に接続されると共に、前記既設梁部に沿って連結される鋼製の新設梁部を備える
ことを特徴とする請求項１に記載の鋼製耐震補強構造。
【請求項３】
前記新設柱部は、前記既設柱部に連結される
ことを特徴とする請求項１又は２に記載の鋼製耐震補強構造。
【請求項４】
前記新設柱部は、前記既設柱部から離間する
ことを特徴とする請求項１又は２に記載の鋼製耐震補強構造。
【考案の詳細な説明】
【技術分野】
【０００１】
本考案は、マンションやホテル等の建物の共用玄関（エントランス）部分やピロティ式建物の１階の駐車場部分等にある門型開放部に新たに設置して、本体建物の耐震補強の用に供する構造に関する。
【背景技術】
【０００２】
マンションの耐震補強においては、現在よく採用されているＸ型やＶ型や、あるいはＫ型等の筋交いは美観や利便性や敷地条件や設置条件的に採用が困難である場合が多い。
【先行技術文献】
【特許文献】
【０００３】
【特許文献１】特開２０１４−１５２５６６号公報
【考案の概要】
【０００４】
マンションの耐震補強においては現在よく採用されているＸ型やＶ型や、あるいはＫ型等の筋交いは美観や利便性や敷地条件や設置条件的に採用が困難である。この課題を解決するために、共用部分である玄関（エントランス）部分やピロティ式建物の１階の駐車場部分等の門型開放部に着目し、そこに新たに取り付ける鋼製耐震補強構造を開発した。
【考案が解決しようとする課題】
【０００５】
本考案が解決しようとする課題は、マンションやホテル等の建物の共用玄関部分やピロティ式建物の１階の駐車場部分等にある門型開放部に新たに設置して、本体建物の耐震補強の用に供する構造を提供することにある。
【課題を解決するための手段】
【０００６】
上記の課題を解決するために、本考案に係る鋼製耐震補強構造は、
建物の門型開放部に設置される鋼製の耐震補強構造であって、
門型開放部は、
一対の既設柱部と、
各既設柱部にわたって延設された既設梁部と、の組み合わせからなり、
耐震補強構造は、
各既設柱部に平行に延設される鋼製の一対の新設柱部と、
各新設柱部の上部に設けられると共に、既設梁部に連結される鋼製の新設アーチ型ハンチ部と、を備える。
【０００７】
好ましくは、
耐震補強構造は、
各新設柱部に設けられた各新設アーチ型ハンチ部に接続されると共に、既設梁部に沿って連結される鋼製の新設梁部を備える。
【０００８】
好ましくは、
新設柱部は、既設柱部に連結される。
【０００９】
好ましくは、
新設柱部は、既設柱部から離間する。
【考案の効果】
【００１０】
本考案に係る建物の鋼製耐震補強構造は、マンションやホテル等の建物の共用玄関（エントランス）部分やピロティ式建物の１階の駐車場部分等にある門型開放部に新たに設置するものであって、この構造によって、建物本体の耐震性能を大幅に改善させると共に、鋼製による軽量及び粘り強さによって、建物に対する追加工事を最小にでき、施工効率、工期及び工費に非常に優れる。
【００１１】
また、アーチ型ハンチを利用することにより、新設梁部及び新設柱部に作用する曲げ応力を小さくできるので、新設梁部を設置しなかったり、薄くしたりでき、門型開放部における地面からの高さを十分に確保でき、玄関や駐車場としての機能を損なわないようにできる。
【図面の簡単な説明】
【００１２】
【図１】第１実施形態の鋼製耐震補強構造を示し、（Ａ）は正面図、（Ｂ）は（Ａ）のＢ−Ｂ線断面図。
【図２】第２実施形態の鋼製耐震補強構造を示す正面図。
【図３】第３実施形態の鋼製耐震補強構造を示す正面図。
【考案を実施するための形態】
【００１３】
以下、図面に基づいて、本考案に係る鋼製耐震補強構造を説明する。
【００１４】
図１に基づき、第１実施形態の鋼製耐震補強構造を説明する。
マンションやホテル等の建物の共用玄関（エントランス）部分や、ピロティ式建物の１階の駐車場部分等には、門型開放部１０が設けられている。門型開放部１０は、一対の既設柱部１１，１１と、各既設柱部１１，１１にわたって延設された既設梁部１２と、の組み合わせからなる。既設柱部１１は、垂直方向（図１の縦方向）に延設され、既設梁部１２は、水平方向（図１の横方向）に延設される。門型開放部１０は、ＲＣ構造又はＳＲＣ構造等で構成される。
【００１５】
門型開放部１０に、耐震補強構造１が設置される。耐震補強構造１は、各既設柱部１１，１１に平行に延設される鋼製の一対の新設柱部２を備える。耐震補強構造１は、さらに、各新設柱部２，２の上部に設けられる鋼製の新設アーチ型ハンチ部３，３を備える。各新設アーチ型ハンチ部３，３は、既設梁部１２に連結される。耐震補強構造１は、さらに、各新設アーチ型ハンチ部３，３に接続される鋼製の新設梁部４を備える。新設梁部４は、既設梁部１２に沿って連結される。
【００１６】
新設柱部２、新設アーチ型ハンチ部３及び新設梁部４は、例えば、断面Ｈ型、Ｃ型、箱型の鋼材からなる。ボルト及び無収縮モルタル等を用いて、新設柱部２は、既設柱部１１に連結され、新設アーチ型ハンチ部３は、既設柱部１１及び既設梁部１２に連結され、新設梁部４は、既設梁部１２に連結される。新設アーチ型ハンチ部３は、新設梁部４に一体的に形成されており、ボルト及び無収縮モルタル等を用いて、新設柱部２に連結される。
【００１７】
新設梁部４は、中央部分で薄く構成できるので、門型開放部１における地面からの高さを十分に確保でき、玄関（エントランス）や駐車場としての機能を損なわないようにできる。また、新設柱部２を先細り形状にすると共に、新設アーチ型ハンチ部３を楕円弧形状にすることで、デザイン性に優れた構造にできる。
【００１８】
図２に基づき、第２実施形態の鋼製耐震補強構造を説明する。なお、上記の実施形態と同じ点は説明を省略することがある。
耐震補強構造１は、一体的に延設された鋼材の一対の新設柱部２、一対の新設アーチ型ハンチ部３及び新設梁部４を備える。新設柱部２、新設アーチ型ハンチ部３、新設梁部４は、一定の厚さで構成され、ボルト及び無収縮モルタル等を介して、既設柱部１１及び既設梁部１２に連結される。新設アーチ型ハンチ部３は、鋼製の連結プレート３０を介して、既設柱部１１及び既設梁部１２に連結される。
【００１９】
図３に基づき、第３実施形態の鋼製耐震補強構造を説明する。なお、上記の実施形態と同じ点は説明を省略することがある。
耐震補強構造１は、２組の一体的に延設された鋼材の新設柱部２、新設アーチ型ハンチ部３及び新設梁部４を備える。即ち、耐震補強構造１は、短い一対の新設梁部４を備え、各新設梁部４，４は、各新設アーチ型ハンチ部３，３に接続されていない。新設柱部２、新設アーチ型ハンチ部３、新設梁部４は、一定の厚さで構成され、ボルト及び無収縮モルタル等を介して、既設柱部１１及び既設梁部１２に連結される。新設アーチ型ハンチ部３は、鋼製の連結プレート３０を介して、既設柱部１１及び既設梁部１２に連結される。
【００２０】
耐震補強構造１は、建物の門型開放部１に設置され、この構造によって、建物本体の耐震性能を大幅に向上する。さらに、耐震補強構造１は、鋼製で軽量なので、建物本体の基礎を補強する必要がない。
【００２１】
以上、本考案の好ましい実施形態を説明したが、本発明の構成はこれらの実施形態に限定されるものではない。例えば、以下のように変更することもできる。
・新設柱部２は、既設柱部１１から２〜１０ｃｍ程度離間して連結されなくてもよい。
・新設梁部４は、設置しなくてもよい。即ち、新設アーチ型ハンチ部３のみで、既設梁部１２からの水平力を新設柱部２に伝達してもよい。
・強度等を考慮して、１つの既設柱部１１に対して、２つの新設柱部２を所定間隔を置いて設置してもよい。その場合、耐震補強構造１は、４つの新設柱部２を備える。
【符号の説明】
【００２２】
１  耐震補強構造
２  新設柱部
３  新設アーチ型ハンチ部
４  新設梁部
１０  門型開放部
１１  既設柱部
１２  既設梁部
【図１】
0003211677.tif 000003
【図２】
0003211677.tif 000004
【図３】
0003211677.tif 000005